(57)【要約】  【課題】正確なオフセット値を出力することができるオフセット付加回路と、波形歪が発生しない波形整形システムを提供する。  【解決手段】入力信号の立上がり時点で、波形整形出力が立ち上がると、制御回路８がこの立上がりから一定時間だけ、スイッチ１２をグランドレベル側に接続し、一定時間だけ出力端子１５からオフセット値が出力される。次に、制御回路８はスイッチ１２を入力端子１１側に切り替えるので、出力端子１５から入力信号にオフセット値を付加した信号が出力される。これにより、出力端子１５からオフセット値とオフセット値を付加した入力信号とを時分割で出力し、後段のＡ／Ｄ変換回路に入力することができるので、オフセット値の変動による影響を受けることなく、波形整形を行うことができる。  【選択図】図２
2005117347.tif 000002
【特許請求の範囲】
【請求項１】
入力信号にオフセット値を付加するオフセット付加手段と、
上記オフセット値を付加された入力信号と上記オフセット付加手段により付加されたオフセット値を時分割で出力する出力端子とを有することを特徴とするオフセット付加回路。
【請求項２】
入力信号にオフセット値を付加するオフセット付加手段と、
上記オフセット値を付加された入力信号と上記オフセット付加手段により付加されたオフセット値をそれぞれ別々に出力する出力端子とを有することを特徴とするオフセット付加回路。
【請求項３】
請求項１または請求項２に記載のオフセット付加回路において、
上記オフセット付加手段の入力を入力信号と接地レベルとで切替える切替手段を備え、
上記切替手段により上記オフセット付加手段に接地レベルを入力することにより、上記オフセット付加手段からオフセット値を出力することを特徴とするオフセット付加回路。
【請求項４】
請求項３に記載のオフセット付加回路において、
入力信号の有効エッジから一定あるいは任意の期間、上記切替え手段により上記オフセット付加手段に接地レベルを入力することを特徴とするオフセット付加回路。
【請求項５】
請求項３に記載のオフセット付加回路において、
入力信号がゼロクロス以下のレベルの期間に、上記切替え手段により上記オフセット付加手段に接地レベルを入力することを特徴とするオフセット付加回路。
【請求項６】
複数の入力信号にそれぞれオフセット値を付加する複数のオフセット付加手段と、
上記複数のオフセット付加手段によりオフセット値が付加された入力信号を出力する複数の信号出力端子と、
上記複数のオフセット付加手段により付加されたそれぞれのオフセット値を時分割で出力するオフセット値出力端子とを有することを特徴とするオフセット付加回路。
【請求項７】
入力信号にオフセット値を付加するオフセット付加手段と、上記オフセット付加手段の入力を入力信号と接地レベルとで切替える切替手段とを備え、上記切替手段により上記オフセット付加手段に接地レベルを入力することにより、上記オフセット付加手段からオフセット値を出力するオフセット付加回路と、
上記オフセット付加回路のオフセット値が付加された入力信号とオフセット値が入力されるＡ／Ｄ変換回路と、
上記オフセット値が付加された入力信号のＡ／Ｄ変換出力から上記オフセット値を除去するオフセット除去回路と、
上記オフセット除去回路の出力を閾値と比較する比較回路と、
上記各部を制御する制御手段とからなることを特徴とする波形整形システム。
【請求項８】
請求項７に記載の波形整形システムにおいて、
上記オフセット除去回路の出力が入力される補間回路を備え、上記補間回路が上記オフセット値取得期間中の信号データを補間することを特徴とする波形整形システム。
【請求項９】
請求項７に記載の波形整形システムにおいて、
上記オフセット付加回路からのオフセット値の複数回の平均値を上記オフセット除去回路に入力することを特徴とする波形整形システム。
【請求項１０】
請求項９に記載の波形整形システムにおいて、
上記オフセット付加回路からのオフセット値が所定値を超えている場合に、所定値を超えたオフセット値を廃棄することを特徴とする波形整形システム。
【請求項１１】
請求項７に記載の波形整形システムにおいて、
上記オフセット除去回路の出力が入力されるフィルタ回路を備え、
上記フィルタ回路の出力を比較回路に入力することを特徴とする波形整形システム。
【請求項１２】
請求項１１に記載の波形整形システムにおいて、
上記制御手段が上記オフセット値取得期間中、上記フィルタ回路の処理を停止させることを特徴とする波形整形システム。
【請求項１３】
請求項７〜請求項１２のいずれかに記載の波形整形システムにおいて、
上記制御手段がシステム起動時に上記オフセット付加回路からオフセット値を取得することを特徴とする波形整形システム。
【請求項１４】
請求項７〜請求項１２のいずれかに記載の波形整形システムにおいて、
上記制御手段がシステム起動時に任意の値をオフセット値の初期値とすることを特徴とする波形整形システム。
【発明の詳細な説明】
【技術分野】
【０００１】
本発明は、オフセット付加回路及びこのオフセット付加回路を用いた波形整形システムに関する。
【背景技術】
【０００２】
従来、センサ出力、例えばエンジン回転数センサの出力信号をＡ／Ｄ変換器で高速サンプリングした後、サンプリングした値を閾値とデジタル的に比較することにより、回転センサ信号を波形整形することが行われている。
図９は従来の波形整形システムにおける処理波形を示す図であり、図９（ａ）に示す入力信号は、Ａ／Ｄ変換器により高速サンプリングされて、図９（ｂ）に示すように離散的なデジタル値に変換される。この場合、Ａ／Ｄ変換器は、０〜５Ｖの電圧をＡ／Ｄ変換する機能を有するものであり、図９（ｂ）に示すように負の電圧は０の値となる。この負の電圧のＡ／Ｄ変換コードは理想的には“０“であるが、Ａ／Ｄ変換器のゼロ点誤差の影響でゼロ付近のコードに数ｍＶ以上のオフセットがつく場合がある。
【０００３】
このＡ／Ｄ変換出力をスレッショルドレベル（閾値）とデジタル的に比較することにより波形整形を行うが、上記閾値が０Ｖ〜数ｍＶの場合、図９（Ｃ）に示すように、ゼロ点誤差によるオフセットが閾値よりも高くなると、図９（ｄ）に示すように波形整形ができなくなる可能性がある。このため、入力信号をＡ／Ｄ変換器に入力する前に、オフセット電圧を付加して図９（ｅ）に示すようにゼロクロスレベルを接地レベルよりもＶ１分高い電圧に設定し、ゼロクロスレベル付近のＡＤ変換値をゼロ点誤差の影響を受けないレベルにすることにより、図９（ｆ）に示すように確実に波形整形することができる。
【０００４】
図１０は従来のオフセット付加回路を備えた波形整形システムを示す図であり、図１１は従来のオフセット付加回路の詳細を示す図である。
オフセット付加回路２１の入力端子３１に入力された入力信号は、定電流源３３からの定電流により駆動される電界効果トランジスタ（ＦＥＴ）３２のゲート端子に入力され、ＦＥＴ３２のゲート・ソース間電圧Ｖgsがオフセット電圧として付加されて出力端子３４から出力される。
【０００５】
このオフセット付加回路２１の出力はＡ／Ｄ変換回路２２に入力されてＡ／Ｄ変換された後、オフセット除去回路２３によりオフセット付加回路で付加された電圧と等しいデジタル値Ｖgsが差し引かれる。そして、オフセット除去回路２３の出力が比較回路２４で閾値Ｖthとデジタル的に比較されて波形整形信号が出力される。なお、Ａ／Ｄ変換回路２２、オフセット除去回路２３、比較回路２４は制御回路２５により制御され、信号処理の同期がとられる。
【特許文献１】特開２００１−２５０２４４号公報
【発明の開示】
【発明が解決しようとする課題】
【０００６】
従来のオフセット付加回路、波形整形システムは上記のように構成されているが、電界効果トランジスタのゲート・ソース間電圧Ｖgsは個々の素子により異なり、また、温度変動による素子特性変化によって変動するので、上記のオフセット除去回路２３で差し引くデジタル値Ｖgsとオフセット付加回路２１で付加される実際のゲート・ソース間電圧Ｖgsとが異なることになり、ゼロレベルが変動し、波形整形出力のタイミングが変化し、遅れやバラつきが発生するという問題があった。
【０００７】
本発明は、上記の問題に鑑みてなされたもので、正確なオフセット値を出力することができるオフセット付加回路と、波形歪が発生しない波形整形システムを提供することを目的とする。
【課題を解決するための手段】
【０００８】
上述の目的を達成するため、本発明に係るオフセット付加回路（１）は、
入力信号にオフセット値を付加するオフセット付加手段と、
上記オフセット値を付加された入力信号と上記オフセット付加手段により付加されたオフセット値を時分割で出力する出力端子とを有することを特徴とする。
【０００９】
さらに、本発明に係るオフセット付加回路（２）は、
入力信号にオフセット値を付加するオフセット付加手段と、
上記オフセット値を付加された入力信号と上記オフセット付加手段により付加されたオフセット値をそれぞれ別々に出力する出力端子とを有することを特徴とする。
【００１０】
また、本発明に係るオフセット付加回路（３）は、オフセット付加回路（１）または（２）において、
上記オフセット付加手段の入力を入力信号と接地レベルとで切替える切替手段を備え、
上記切替手段により上記オフセット付加手段に接地レベルを入力することにより、上記オフセット付加手段からオフセット値を出力することを特徴とする。
【００１１】
また、本発明に係るオフセット付加回路（４）は、オフセット付加回路（３）において、
入力信号の有効エッジから一定あるいは任意の期間、上記切替え手段により上記オフセット付加手段に接地レベルを入力することを特徴とする。
【００１２】
また、本発明に係るオフセット付加回路（５）は、オフセット付加回路（３）において、
入力信号がゼロクロス以下のレベルの期間に、上記切替手段により上記オフセット付加手段に接地レベルを入力することを特徴とする。
【００１３】
さらに、本発明に係るオフセット付加回路（６）は、
複数の入力信号にそれぞれオフセット値を付加する複数のオフセット付加手段と、
上記複数のオフセット付加手段によりオフセット値が付加された入力信号を出力する複数の信号出力端子と、
上記複数のオフセット付加手段により付加されたそれぞれのオフセット値を時分割で出力するオフセット値出力端子とを有することを特徴とする。
【００１４】
また、本発明に係る波形整形システム（１）は、
入力信号にオフセット値を付加するオフセット付加手段と、上記オフセット付加手段の入力を入力信号と接地レベルとで切替える切替手段とを備え、上記切替手段により上記オフセット付加手段に接地レベルを入力することにより、上記オフセット付加手段からオフセット値を出力するオフセット付加回路と、
上記オフセット付加回路のオフセット値が付加された入力信号とオフセット値が入力されるＡ／Ｄ変換回路と、
上記オフセット値が付加された入力信号のＡ／Ｄ変換出力から上記オフセット値を除去するオフセット除去回路と、
上記オフセット除去回路の出力を閾値と比較する比較回路と、
上記各部を制御する制御手段とからなることを特徴とする。
【００１５】
さらに、本発明に係る波形整形システム（２）は、波形整形システム（１）において、
上記オフセット除去回路の出力が入力される補間回路を備え、上記補間回路が上記オフセット値取得期間中の信号データを補間することを特徴とする。
【００１６】
さらに、本発明に係る波形整形システム（３）は、波形整形システム（１）において、
上記オフセット付加回路からのオフセット値の複数回の平均値を上記オフセット除去回路に入力することを特徴とする。
【００１７】
さらに、本発明に係る波形整形システム（４）は、波形整形システム（３）において、
上記オフセット付加回路からのオフセット値が所定値を超えている場合に、所定値を超えたオフセット値を廃棄することを特徴とする。
【００１８】
さらに、本発明に係る波形整形システム（５）は、波形整形システム（１）において、
上記オフセット除去回路の出力が入力されるフィルタ回路を備え、
上記フィルタ回路の出力を比較回路に入力することを特徴とする。
【００１９】
また、本発明に係る波形整形システム（６）は、波形整形システム（５）において、
上記制御手段が上記オフセット値取得期間中、上記フィルタ回路の処理を停止させることを特徴とする。
【００２０】
さらに、本発明に係る波形整形システム（７）は、波形整形システム（１）〜（６）のいずれかにおいて、
上記制御手段がシステム起動時に上記オフセット付加回路からオフセット値を取得することを特徴とする。
【００２１】
また、本発明に係る波形整形システム（８）は、波形整形システム（１）〜（６）のいずれかにおいて、
上記制御手段がシステム起動時に任意の値をオフセット値の初期値とすることを特徴とする。
【発明の効果】
【００２２】
本発明に係るオフセット付加回路（１）によれば、正確なオフセット値が出力されるので、オフセット値の変動による波形整形出力の歪を防止できるとともに、オフセット値を付加した入力信号とオフセット値が時分割で出力されるので、出力端子を共通化することができ、出力端子を削減することができる。
【００２３】
また、本発明に係るオフセット付加回路（２）によれば、オフセット値とオフセット値が付加された入力信号を異なる出力端子から出力することができるので、以降の処理工程で処理する際に、データの取得タイミングの生成を容易にすることができる。
【００２４】
さらに、本発明に係るオフセット付加回路（３）によれば、オフセット付加手段の入力を入力信号と接地レベルとで切替える切替手段を備えているので、簡単な構成でオフセット付加手段から正確なオフセット値を出力することができる。
【００２５】
また、本発明に係るオフセット付加回路（４）によれば、入力信号の有効エッジから一定あるいは任意の期間、切替え手段によりオフセット付加手段に接地レベルを入力するので、オフセット付加手段から時分割でオフセット値を得ることができる。
【００２６】
また、本発明に係るオフセット付加回路（５）によれば、入力信号がゼロクロス以下のレベルの期間に、切替え手段によりオフセット付加手段に接地レベルを入力するので、入力信号がゼロクロス以上のレベルのときのデータが欠けることがないので、後段の信号処理を容易にすることができる。
【００２７】
さらに、本発明に係るオフセット付加回路（６）によれば、複数のオフセット付加手段と、複数のオフセット付加手段により付加されたそれぞれのオフセット値を時分割で出力するオフセット値出力端子とを有するので、
オフセット値用の出力端子の数を最小化するとともに、信号出力端子を別にすることにより後段での処理を容易にすることができる。
【００２８】
また、本発明に係る波形整形システム（１）によれば、オフセット付加回路から出力されるオフセット値を用いてオフセット値を除去することができるので、オフセット付加回路で付加されるオフセット値の変動の影響を受けることなく入力信号を波形整形することができる。
【００２９】
さらに、本発明に係る波形整形システム（２）によれば、オフセット除去回路の出力が入力される補間回路によりオフセット値取得期間中の信号データを補間することができるので、オフセット値取得期間中のデータの欠けの影響を除去することができる。
【００３０】
さらに、本発明に係る波形整形システム（３）によれば、オフセット付加回路からのオフセット値の複数回の平均値がオフセット除去回路に入力されるので、ノイズの影響を受けにくくすることができる。
【００３１】
さらに、本発明に係る波形整形システム（４）によれば、オフセット付加回路からのオフセット値が所定値を超えている場合に、所定値を超えたオフセット値が廃棄されるので、異常な値が平均化回路に入力されることを防ぐことができる。
【００３２】
さらに、本発明に係る波形整形システム（５）によれば、オフセット除去回路の出力が入力されるフィルタ回路を備えているので、離散的なデジタル信号が平滑化され、正確な入力信号の立上がりを検出することができる。
【００３３】
さらに、本発明に係る波形整形システム（６）によれば、オフセット値取得期間中、フィルタ回路の処理が停止されるので、オフセット値取得期間中の入力データの欠けによるフィルタ回路の出力変動を防止することができる。
【００３４】
また、本発明に係る波形整形システム（７）によれば、システム起動時にオフセット付加回路からオフセット値が取得されるので、システム起動直後から波形整形動作を開始することができる。
【００３５】
さらに、本発明に係る波形整形システム（８）によれば、システム起動時に任意の値がオフセット値の初期値としてセットされるので、上記と同様に、システム起動直後から波形整形動作を開始することができる。
【実施例】
【００３６】
以下、本発明のオフセット付加回路及び波形整形システムの実施例について、図面を用いて説明する。波形整形システムは、図１に示すように、オフセット付加回路１、Ａ／Ｄ変換回路２、スイッチ３、平均化回路４、オフセット除去回路５、フィルタ回路６、比較回路７、制御回路８により構成され、比較回路７の出力が入力される制御回路８がオフセット付加回路１、Ａ／Ｄ変換回路２、スイッチ３、平均化回路４、オフセット除去回路５、フィルタ回路６、比較回路７の動作を制御する。
【００３７】
また、オフセット付加回路１は、図２に示すように、入力端子１１、スイッチ１２、電界効果トランジスタ（ＦＥＴ）１３、定電流源１４、出力端子１５よりなり、スイッチ１２は入力信号が入力される入力端子１１とグラウンドレベルとを切り替えて、定電流源１４からの定電流により駆動されるＦＥＴ１３のゲート端子に入力する。そして、スイッチ１２によりグラウンドレベルがＦＥＴ１３のゲート端子に入力されているときには、ＦＥＴ１３のゲート・ソース間電圧Ｖgsがオフセット値として出力端子１５から出力され、スイッチ１２により入力信号がＦＥＴ１３のゲート端子に入力されているときには、入力信号にオフセット値を付加した信号が出力端子１５から出力される。
【００３８】
次に、図１、図２の波形整形システム、オフセット付加回路の定常時の動作を図３の波形図を用いて説明する。
回転センサからの入力信号の立上がり時点で、図３（ｂ）に示すように、比較回路７の出力が立ち上がると、制御回路８は立上がりから一定時間だけ、スイッチ１２をグランドレベル側に接続し、これにより一定時間だけ出力端子１５からオフセット値が出力される。次に、制御回路８はスイッチ１２を入力端子１１側に切り替えるので、出力端子１５から入力信号にオフセット値を付加した信号が出力される。これにより、図３（ｃ）に示すように、出力端子１５からオフセット値とオフセット値を付加した入力信号が時分割で出力される。
このように、出力端子を共通にし、オフセット値を付加した入力信号とオフセット値を時分割で出力することにより、出力端子を削減することができる。
【００３９】
このオフセット付加回路１の出力はＡ／Ｄ変換回路２に入力され、高速サンプリングされて離散的なデジタル値に変換される。一方、スイッチ３は制御回路８によりスイッチ１２と同期して切り替えられ、Ａ／Ｄ変換回路２からのオフセット値のデジタル変換出力が平均化回路４に入力され、入力信号とオフセット値の加算値のデジタル変換出力がオフセット除去回路５に入力される。
【００４０】
平均化回路４はノイズの影響を受けにくくするために複数回にわたって得られたオフセット値を平均化するものであり、ｎ個のオフセット値が得られるたびにその１／ｎの値を平均値として求めたり、ｎ個のオフセット値の移動平均を求めることにより平滑化したり等、種々の平均化処理を採用することができる。
なお、平均化回路４への入力値をガード値と比較し、ガード値を超えるデータを破棄することにより、異常な値が平均化回路４に入力されることを防ぐことができる。データを破棄した場合には、その直前のデータを補間値として使用したり、過去の平均値を補間値として使用することができる。また、オフセット値が連続してガード値を超える場合には、異常としてアラームを出力するようにすることも可能である。
【００４１】
オフセット除去回路５は入力信号とオフセット値が付加された値から平均化回路４の出力をデジタル的に減算し、オフセット値が除去された入力信号のデジタル値をフィルタ回路６に入力する。このフィルタ回路６は離散的なデジタル信号を平滑化するためのフィルタ回路であり、このフィルタ回路６の出力が比較回路７に入力されて閾値Ｖthとデジタル的に比較され、比較回路７から図３（ｂ）に示す波形整形信号が出力される。
なお、フィルタ回路６への入力データがオフセット値取得期間中は欠けてしまうので、制御回路８がこのオフセット値取得期間中はフィルタ回路６の処理を停止させ、入力信号に切り替わった後、再度動作させるように制御することより、フィルタ回路６の出力の変動を防止することができる。
【００４２】
上記の説明では、図３（ｃ）に示すように、入力信号の立ち上がりから一定期間オフセット値を取得するようにしたが、図３（ｄ）に示すように、入力信号の立ち上がりから一定時間経過後に、一定期間オフセット値を取得することも可能である。また、図３（ｅ）に示すように、入力信号のゼロクロス以下のレベルの期間、スイッチ１２をグラウンドレベル側に切り替えてオフセット値を取得することもできる。このようにすると、入力信号がゼロクロス以上のレベルのときのデータが欠けることがないので、フィルタ回路６の処理を停止させる必要がなくなる。
【００４３】
一方、フィルタ回路６の出力と閾値Ｖthを比較する比較回路７ではノイズの影響で波形整形出力にチャタリングが発生する可能性があるので、次にこのチャタリングを防止する方法について説明する。
図４（ａ）に示すように、比較回路７の出力の出力反転後、閾値を時間ｔ０だけＡ／Ｄ変換回路の出力コードの最小値または最大値に切り替えることにより、チャタリングを防止することができる。この時間ｔ０は、入力信号の周期に連動して変化させてもよく、一定時間に固定してもよい。また、図４（ｃ）に示すように、比較回路７の出力の出力反転後、閾値をＡ／Ｄ変換回路の出力コードの最小値または最大値に切り替え、その値を時間的に変動させるようにしてもよい。
【００４４】
上記の実施例では、オフセット値取得期間中はフィルタ回路の動作を停止することにより、オフセット値取得期間中のデータの欠けの影響を除去することを説明したが、より高精度に波形整形を行うためには、データの欠けを補間することが望ましい。
図５はこのようにオフセット値取得期間中のデータの欠けを補間する実施例であり、図に示すように、オフセット除去回路５とフィルタ回路６の間に補間回路９が設けられている。
図６（ｄ）に示すように、オフセット値取得期間中はオフセット除去回路５の出力はゼロレベルであり、フィルタ回路６の出力が乱れるので、補間回路９が、図６（ｄ）のＩに示すようにオフセット値取得期間の直前にサンプリングした値を保持したり、あるいはオフセット値取得期間中は一定値を出力することにより、波形の乱れを少なくすることができる。
また、入力信号はほぼ正弦波信号であるので、前回の周期で取得した振幅値から図６（ｄ）IIに示すように、サンプリング値を予測して補間することもでき、このようにサンプリング値を予測して補完すれば、フィルタ回路による波形の乱れを最小限にすることができる。
【００４５】
また、図２のオフセット付加回路の実施例では、一つの出力端子からオフセット値とオフセット値が付加された入力信号を時分割で出力する例を説明したが、オフセット値とオフセット値が付加された入力信号を異なる出力端子から出力するようにすることも可能である。
図７はこのようにオフセット値とオフセット値が付加された入力信号を異なる出力端子から出力するオフセット付加回路の実施例を示す図であり、図２のオフセット付加回路の構成に加えてスイッチ１６と出力端子１７、１８が付加されている。
スイッチ１６は制御回路８によりスイッチ１２と同期して切り替えられるので、出力端子１７からオフセット値が出力され、出力端子１８から入力信号にオフセット値を付加した信号が出力される。
このように、オフセット値とオフセット値が付加された入力信号を異なる出力端子から出力することにより、以降の処理工程で処理する際に、データの取得タイミングの生成を容易にすることができる。
【００４６】
次に、複数の入力チャンネルを備えたオフセット付加回路の実施例について図８により説明する。
図８に示すように、複数の入力信号が入力されるｎ個のＦＥＴを備えており、各ＦＥＴのオフセット値出力端子がマルチプレクサ１９に接続されている。スイッチ１２−１〜１２−ｎは入力信号の一周期毎に順次一定期間だけグランドレベル側に接続され、マルチプレクサ１９がオフセット値が出力されている出力端子を順次出力端子２０に接続するので、出力端子２０から時分割で各チャンネルのそれぞれのオフセット値が出力される。
このように、各チャンネルのオフセット値を時分割で出力することにより、オフセット値用の出力端子の数を最小化することができるとともに、信号出力端子を別にすることにより後段での処理を容易にすることができる。
【００４７】
なお、上記の実施例では、本発明の波形整形システムにより回転センサの出力信号を処理する例を説明したが、本発明のオフセット付加回路及び波形整形システムはセンサ信号以外の様々な信号の処理に適用することができる。
【００４８】
また、図１の実施例では、平均化回路、フィルタ回路を設けることによりノイズの影響及び波形歪の影響を除去するようにしたが、高い精度が要求されない場合には、これらの回路を省略することも可能である。
【図面の簡単な説明】
【００４９】
【図１】本発明の波形整形システムを示すブロック図である。
【図２】本発明のオフセット付加回路の詳細を示す図である。
【図３】オフセット付加回路の動作を説明するための波形図である。
【図４】比較回路のチャタリング防止のための閾値の切替えを示す波形図である。
【図５】本発明の波形整形システムの変形例を示すブロック図である。
【図６】図５の波形整形システムの動作を示す波形図である。
【図７】本発明のオフセット付加回路の変形例を示す図である。
【図８】本発明のオフセット付加回路のさらに他の変形例を示す図である。
【図９】従来の波形整形システムの動作を説明するための波形図である。
【図１０】従来の波形整形システムを示すブロック図である。
【図１１】従来のオフセット付加回路を示す図である。
【符号の説明】
【００５０】
１  オフセット付加回路
２  Ａ／Ｄ変換回路
３  スイッチ
４  平均化回路
５  オフセット除去回路
６  フィルタ回路
７  比較回路
８  制御回路
１１  入力端子
１３  ＦＥＴ
１４  定電流源
１５  出力端子
【図１】
2005117347.tif 000003
【図２】
2005117347.tif 000004
【図３】
2005117347.tif 000005
【図４】
2005117347.tif 000006
【図５】
2005117347.tif 000007
【図６】
2005117347.tif 000008
【図７】
2005117347.tif 000009
【図８】
2005117347.tif 000010
【図９】
2005117347.tif 000011
【図１０】
2005117347.tif 000012
【図１１】
2005117347.tif 000013